(57)【特許請求の範囲】
【請求項１】
多数の幅方向係止部材(121)を備える可撓性バンド(120)が巻かれるバンド支持部(148)が形成されたバックル本体(140)と、
前記バンド支持部(148)に対して前記可撓性バンド(120)を固定させる第1位置と前記可撓性バンド(120)の移動を許容する第2位置との間で前記バックル本体(140)に前記可撓性バンド(120)の長手方向に摺動自在に結合されるスライダ(150)とを含み、
前記バックル本体(140)は、互いに平行な第1辺(141)及び第2辺(142)と互いに平行な第3辺(143)及び第4辺(144)を備える直四角形フレーム(145)と、スライダ(150)の前記第1位置を設定するように直四角形フレーム(145)の第1辺(141)に形成された第1止め部(146)と、スライダ(150)の前記第2位置を設定するように直四角形フレーム(145)の第2辺(142)に形成された第2止め部(147)とを備え、
前記スライダ(150)は前記可撓性バンド(120)の幅方向係止部材(121)が備えられた面に向かう表面上に前記第1位置で前記可撓性バンド(120)を前記バンド支持部(148)に対して圧着固定させるバンド圧着片(153)と、前記バックル本体(140)と前記第3辺(143)及び第4辺(144)上にて摺動自在に結合して前記第１位置で前記バックル本体(140)の第１止め部(146)に係止して前記第２位置にて前記バックル本体(140)の第2止め部(147) に係止する一対の係止部(152)とを備え、
前記可撓性バンド(120)の終端部分を引っ張ると前記可撓性バンド(120)の係止部材(121)中の一つが前記バンド圧着片(153)に係止して前記スライダ(150)を前記第2位置に移動させ、引っ張られた前記可撓性バンド(120)を放すと前記可撓性バンド(120)が収縮しながら前記可撓性バンド(120)の係止部材(121)中の一つが前記バンド圧着片(153)に係止して前記スライダ(150)を前記第1位置に移動させることを特徴とする水中眼鏡の可撓性バンド長さ調節用バックル組立体。
【請求項２】
レンズ部(111)が内部に形成された一対のレンズフレーム(110)と、多数の幅方向係止部材(121)を備える可撓性バンド(120)と、レンズフレーム(110)と可撓性バンド(120)を結合する一つ以上の請求項１に記載のバックル組立体(130)とで構成され、
バックル本体(140)が水中眼鏡(100)のレンズフレーム(110)に一体に形成されたことを特徴とする水中眼鏡。
【請求項３】
レンズ部(111)が内部に形成された一対のレンズフレーム(110)と、多数の幅方向係止部材(121)を備える可撓性バンド(120)と、レンズフレーム(110)と可撓性バンド(120)を結合する請求項１記載のバックル組立体(130)とで構成され、
バックル組立体(130)のバックル本体(140)の第1辺(141)にはレンズフレーム結合用結合部材(170)が形成され、
レンズフレーム(110)の外側面にはバックル組立体(130)の結合部材(170)を収容する孔(113)が形成されたことを特徴とする水中眼鏡。
【請求項４】
各々多数の幅方向係止部材(321、326)を備える第1及び第2可撓性バンド(320、325)が巻かれる第1及び第2バンド支持部(348、349)が形成されたバックル本体(340)と、
前記第1及び第2バンド支持部(348、349)に対して各々前記第１及び第２可撓性バンド(320、325)が固定される第1位置と前記第１及び第２可撓性バンド(320、325)の移動を許容する第2位置間において前記バックル本体(340)に前記第１及び第２可撓性バンド(320、325)の長手方向に各々摺動自在に結合される第1及び第2スライダ(350、360)とを含み、
前記バックル本体(340)は、互いに平行な第1辺(341)及び第2辺(342)と互いに平行な第3辺(343)及び第4辺(344)を備える直四角形フレーム(345)と、前記第1及び第2スライダ(350、360)の前記それぞれの第1位置を設定するように直四角形フレーム(345)の第3辺(343)と第4辺(344)の中心に形成された第1止め部(346)と、前記第1及び第2スライダ(350、360)の前記それぞれの第2位置を設定するように直四角形フレーム(345)の第1辺(341)及び第2辺(342)に各々形成された第2止め部(347)とを備え、
前記第1及び第2スライダ(350、360)は、前記第１及び第２可撓性バンド(320、325)の係止部材(321、326)が備えられた面に向かう表面上にそれぞれの前記第1位置にて前記第１及び第２可撓性バンド(320、325)を前記第1及び第2バンド支持部(348、349)に対して圧着固定させる第1及び第2バンド圧着片(353、363)と、前記バックル本体(340)と第3辺(343)及び第4辺(344)上で摺動自在に結合して前記それぞれの第1位置にて前記バックル本体(340)の第1止め部(346)に係止し、前記それぞれの第2位置にて前記バックル本体(340)の第2止め部(347)に係止する一対の第1及び第2係止部(352、362)を各々備え、
前記第1可撓性バンド(320)の終端部分を引っ張ると前記第1可撓性バンド(320)の係止部材(321)中の一つが前記第1バンド圧着片(353)に係止して前記第1スライダ(350)を前記第2位置に移動させ、引っ張られた前記第1可撓性バンド(320)を放すと前記第1可撓性バンド(320)が収縮しながら前記第1可撓性バンド(320)の係止部材(321)中の一つが前記第1バンド圧着片(353)に係止して前記第1スライダ(350)を前記第1位置に移動させ、
前記第2可撓性バンド(325)の終端部分を引っ張ると前記第2可撓性バンド(325)の係止部材(326)中の一つが前記第2バンド圧着片(363)に係止して前記第2スライダ(360)を前記第2位置に移動させ、引っ張られた前記第2可撓性バンド(325)を放すと前記第2可撓性バンド(325)が収縮しながら前記第2可撓性バンド(325)の係止部材(326)中の一つが前記第2バンド圧着片(363)に係止して前記第2スライダ(360)を第1位置に移動させることを特徴とする水中眼鏡の可撓性バンド長さ調節用バックル組立体。
【請求項５】
請求項４において、前記バックル組立体(330)は前記バックル本体(340)の直四角形フレーム(345)の第3辺(343)と第4辺(344)の中心を連結した連結部に形成されたスロット(370)を備え、スロット(370)の形状に対応しスロット(370)内に収容され固定されるプッシャー(380)を更に含み、前記スロット(370)は前記連結部の厚さ方向で前記プッシャー(380)が挿入する方に幅が大きくなるように傾斜されており、前記プッシャー(380)は前記スロット(370)に挿入する端部側にフック形状の係止突起(381)を有し、挿入する端部の他端側に、他端にいくほど断面積が拡大される拡大部(381)を有し、前記プッシャー(380)を前記スロット(370)に対して押し下げると前記プッシャー(380)が前記スロット(370)内に入りながら前記プッシャー(380)の拡大部(382)が第1及び第2スライダ(350、360)を各々第2位置に押すことを特徴とするバックル組立体。
【請求項６】
各々多数の幅方向係止部材(421、426)を備える第1及び第2可撓性バンド(420、425)が巻かれる第1及び第2バンド支持部(448、448’)が各々形成された第1及び第2バックル本体(440、440’)と、
前記第1及び第2バンド支持部(448、448’)に対して各々前記可撓性バンド(420、425)を固定させる第1位置と前記可撓性バンド(420、425)の移動を許容する第2位置間にて前記第1及び第2バックル本体(440、440’)に前記第1及び第2可撓性バンド(420、425)の長手方向に各々摺動自在に結合される第1及び第2スライダ(450、460)とを含み、
前記第1及び第2バックル本体(440、440’)は、互いに平行な第1辺(441、441’)及び第2辺(442、442’)と互いに平行な第3辺(443、443’)及び第4辺(444、444’)を備える直四角形フレーム(445、445’)と、前記第1及び第2スライダ(450、460)の前記それぞれの第1位置を設定するように前記直四角形フレーム(445、445’)の第1辺(441、441’)に形成された第1止め部(446、446’)と、前記第1及び第2スライダ(450、460)の前記それぞれの第2位置を設定するように前記直四角形フレーム(445、445’)の第2辺(442、442’)に形成された第2止め部(447、447’)とを各々備え、
前記第1及び第2スライダ(450、460)は、前記第1及び第2可撓性バンド(420、425)の係止部材(421、426)が備えられた面に向かう表面上にそれぞれの前記第1位置にて前記第1及び第2可撓性バンド(420、425)を前記第1及び第2バンド支持部(448、448’)に対して圧着固定させる第1及び第2バンド圧着片(453、463)と、前記第1及び第2バックル本体(440、440’)と 第3辺(443、443’)及び第4辺(444、444’)上で摺動自在に結合して前記それぞれの第１位置にて前記第1及び第2バックル本体(440、440’)の第1止め部(446、446’)に係止し、前記それぞれの第２位置にて前記第1及び第2バックル本体(440、440’)の第2止め部(447、447’) に係止する一対の第１及び第２係止部(452、462)を各々備え、
前記第1及び第2バックル本体(440、440’)のそれぞれの第1辺(441、441’)には第1及び第2結合部材(470、470’)を各々形成し、前記第1及び第2バックル本体(440、440’)の第1及び第2結合部材(470、470’)を収容する連結具(480)を更に含み、
前記第1可撓性バンド(420)の終端部分を引っ張ると前記第1可撓性バンド(420)の係止部材(421)中の一つが前記第1バンド圧着片(453)に係止して前記第1スライダ(450)を前記第2位置に移動させ、引っ張られた前記第1可撓性バンド(420)を放すと前記第1可撓性バンド(420)が収縮しながら前記第1可撓性バンド(420)の係止部材(421)中の一つが前記第1バンド圧着片(453)に係止して前記第1スライダ(450)を第1位置に移動させ、
前記第2可撓性バンド(425)の終端部分を引っ張ると前記第2可撓性バンド(425)の係止部材(426)中の一つが前記第2バンド圧着片(463)に係止して前記第2スライダ(460)を前記第2位置に移動させ、引っ張られた前記第2可撓性バンド(460)を放すと前記第2可撓性バンド(425)が収縮しながら前記第2可撓性バンド(425)の係止部材(426)中の一つが前記第2バンド圧着片(463)に係止して前記第2スライダ(460)を第1位置に移動させることを特徴とする水中眼鏡の可撓性バンド長さ調節用バックル組立体。
【請求項７】
請求項１、請求項４、請求項５及び請求項６のいずれかにおいて、前記係止部材は前記可撓性バンドに沿って長手方向に配置される多数の幅方向リッジであり、前記可撓性バンドが引っ張られたり収縮されるとき、前記リッジが前記バンド圧着片に係止して前記スライダが移動されることを特徴とするバックル組立体。
【請求項８】
請求項１、請求項４、請求項５及び請求項６のいずれかにおいて、前記係止部材は前記可撓性バンドに沿って長手方向に配置され、前記可撓性バンドの幅方向に長く形成された多数の貫通孔であり、前記可撓性バンドが引っ張られたり収縮されるとき、前記貫通孔に前記バンド圧着片が挿入されることで前記スライダが移動されることを特徴とするバックル組立体。
【請求項９】
請求項１、請求項４、請求項５及び請求項６のいずれかにおいて、前記係止部材は前記可撓性バンドに沿って長手方向に配置され、前記可撓性バンドの幅方向に長く形成された多数の陥没部であり、前記可撓性バンドが引っ張られたり収縮されるとき、前記陥没部に前記バンド圧着片が挿入されることで前記スライダが移動されることを特徴とするバックル組立体。
【発明の詳細な説明】
【０００１】
【技術分野】
本発明は水中眼鏡用バックル組立体に関するもので、特に水中眼鏡の可撓性バンド長さを簡便に調節するためのバックル組立体に関する。
【０００２】
【背景技術】
通常使用される水中眼鏡(10)は図1に示された通り、レンズフレーム(12)の外側面に形成されたバンド長さ調節片(17)を含む。このようなバンド長さ調節片(17)はバンド(15)の端部が通過する少なくとも２つの長い開口を備える。これら貫通開口は図2に示された通り並べて配置される。バンド(15)は２つの各貫通開口の間のバンド支持部(17a)に巻かれる。長さを調節するバンド長さ調節片(17)からバンドを容易に調節するために、最外側バンド支持部(17b)の中心部が部分的に切開されている。バンド(15)はその自由端(15a)をバンド長さ調節片(17)のレンズフレーム隣接開口を後方側にて通過させた後、最外側の開口を通過させることによりバンド長さ調節片(17)内に配置される。
【０００３】
一般的に、水中眼鏡(10)はレンズ部(11)が内部に一体に形成された２つのレンズフレーム(12)と、レンズフレームの内側面を連結する鼻連結具(14)とを含む。可撓性バンド(15)はレンズフレームの外側面を連結する。それぞれのレンズフレームの後方にはシリコンパッキング(13)が設置される。シリコンパッキング(13)はその圧縮性により使用者の眼球周辺に合うように密着する。
【０００４】
使用者は普通、水中眼鏡を着用する前にバンド支持部(17a)の周りに巻かれた可撓性バンド(15)の一端部を引っ張ることにより可撓性バンド長さを調節する。一旦着用されると、
シリコンパッキング(13)は使用者の眼球の周辺の皮膚に密封され水が各レンズフレームの内部に流入しないようにする。可撓性バンドが過度にぎゅっと嵌まるように調節されると、シリコンパッキング(13)は眼球の周辺を強く圧迫して眼球周辺の皮膚に痛みを誘発する。反対に、可撓性バンドが過度に緩く調節されると、水がシリコンパッキング(13)を通過してレンズフレーム内に流入することもある。従って、使用者の頭の周りに合うように、
すなわち、水がレンズフレームの内部に流入しないようにしながら使用者の顔面に適当な圧力を加えるように可撓性バンドを調節することが必要である。
【０００５】
使用者の頭の周りに合うように可撓性バンド長さを調節するためには、使用者が水中眼鏡を頭に着用した状態で可撓性バンド長さを調節することが最も正確である。しかし、従来のバックル組立体を備えた水中眼鏡は、使用者が水中眼鏡を頭に着用した状態では可撓性バンド長さを調節することができない。このような理由のために、従来には可撓性バンド長さを適切に調節するために数回に亘って水中眼鏡の着脱を反復しながら水中眼鏡を外した状態でバンド長さを両手で調節しなければならないという問題点があった。
【０００６】
本発明は次の詳細な説明に記載された内容で上述のような従来技術の問題点を解決する。
【０００７】
【発明の開示】
従って、本発明の目的はこのような従来技術の問題点を解決することで、使用者が水中眼鏡を着用した状態でバンド長さを片手で簡便かつ速かに調節できるように構成されたバックル組立体を提供することである。
【０００８】
本発明の一つの態様によれば、多数の幅方向係止部材を備える可撓性バンドが巻かれるバンド支持部が形成されたバックル本体と、バンド支持部に対して可撓性バンドを固定させる第1位置と可撓性バンドの移動を許容する第2位置間で可撓性バンドの長手方向に摺動自在にバックル本体と結合されるスライダとを含み、スライダは可撓性バンドの幅方向係止部材が備えられた面に向かう表面上に第1位置で可撓性バンドをバンド支持部に対して圧着固定させるバンド圧着片を含むことにより、可撓性バンドを引っ張ると可撓性バンドが伸長しながら可撓性バンドの係止部材のうちの一つがバンド圧着片に係止してスライダを第2位置に移動させ、引っ張られた可撓性バンドを放すと可撓性バンドが収縮しながら可撓性バンドの係止部材中の一つがバンド圧着片に係止してスライダを第1位置に移動させることを特徴とする。
【０００９】
バックル本体は、互いに平行な第1辺及び第2辺と互いに平行な第3辺及び第4 辺とを備える直四角形フレームと、スライダの第1位置を設定するように直四角形フレームの第1辺に形成された第1止め部と、スライダの第2位置を設定するように直四角形フレームの第2 辺に形成された第2止め部とを備え、スライダは、バックル本体と第3辺及び第4辺上で摺動自在に結合して第1位置でバックル本体の第1止め部に係止し、バックル本体の第2位置で第2止め部に係止する一対の係止部を備える。
【００１０】
本発明の他の一つの態様によれば、レンズ部が内部に形成された一対のレンズフレームと、多数の幅方向係止部材を備える可撓性バンドと、レンズフレームと可撓性バンドを結合する第1態様のバックル組立体とで構成された水中眼鏡において、バックル本体が水中眼鏡のレンズフレームの外側面に一体に形成されたことを特徴とする。
【００１１】
本発明の他の一つの態様によれば、レンズ部が内部に形成された一対のレンズフレームと、多数の幅方向係止部材を備える可撓性バンドと、レンズフレームと可撓性バンドを結合する第1態様のバックル組立体とで構成された水中眼鏡において、バックル組立体のバックル本体の第1辺にはレンズフレーム結合用結合部材を形成し、レンズフレームの外側面にはバックル組立体の結合部材を収容する孔が形成されたことを特徴とする。
【００１２】
本発明の他の一つの態様によれば、本発明のバックル組立体は各々多数の幅方向係止部材を備える第1及び第2可撓性バンドが巻かれる第1及び第2バンド支持部が形成されたバックル本体を含むことを特徴とする。上述したバックル組立体は第1及び第2バンド支持部に対して各々第1及び第2可撓性バンドを固定させる第1位置と第1及び第2可撓性バンドの移動を許容する第2位置との間で第1及び第2可撓性バンドの長手方向に各々摺動自在にバックル本体と結合される第1及び第2スライダを含み、第1及び第2スライダは第1及び第2可撓性バンドの係止部材が備えられた面に向かう表面上にそれぞれの第1位置で第1及び第2可撓性バンドを第1及び第2バンド支持部に対して圧着固定させる第1及び第2バンド圧着片を含むことにより、第1可撓性バンドの終端部分を引っ張ると第1可撓性バンドが伸長しながら第1可撓性バンドの係止部材中の一つが第1バンド圧着片に係止して第1スライダを第2位置に移動させる。引っ張られた第1可撓性バンドを放すと第1可撓性バンドが収縮しながら第1可撓性バンドの係止部材中の一つが第1バンド圧着片に係止して第1スライダを第1位置に移動させる。第2可撓性バンドの終端部分を引っ張ると第2可撓性バンドが伸長しながら第2可撓性バンドの係止部材中の一つが第2バンド圧着片に係止して第2スライダを第2位置に移動させ、引っ張られた第2可撓性バンドを放すと第2可撓性バンドが収縮しながら第2可撓性バンドの係止部材中の一つが第2バンド圧着片に係止して第2スライダを第1位置に移動させる。バックル本体は、互いに平行な第1辺及び第2辺と互いに平行な第3辺及び第4辺を備える直四角形フレームを含む。バックル本体は第1及び第2スライダのそれぞれの第1位置を設定するように直四角形フレームの第3辺と第4辺の中心に形成された第1止め部と、第1及び第2スライダのそれぞれの第2位置を設定するように直四角形フレームの第1辺及び第2辺に各々形成された第2止め部とを備える。第1及び第2スライダは、バックル本体と第3辺及び第4辺上にて摺動自在に結合してそれぞれの第1位置にてバックル本体の第1止め部に係止し、それぞれの第2位置にてバックル本体の第2止め部に係止する一対の第1及び第2係止部を各々備えることを特徴とする。
【００１３】
本発明のバックル組立体はまた各々多数の幅方向係止部材を備える第1及び第2可撓性バンドが巻かれる第1及び第2バンド支持部が各々形成された第1及び第2バックル本体を含む。
上述したバックル組立体は第1及び第2バンド支持部に対して各々第1及び第2可撓性バンドを固定させる第1位置と第1及び第2可撓性バンドの移動を許容する第2位置との間で第1及び第2可撓性バンドを長手方向に各々摺動自在に第1及び第2バックル本体と結合される第1及び第2スライダをさらに含む。第1及び第2スライダは第1及び第2可撓性バンドの係止部材が備えられた面に向かう表面上にそれぞれの第1位置で第1及び第2可撓性バンドを第1及び第2バンド支持部に対して圧着固定させる第1及び第2バンド圧着片を含む。これにより第1可撓性バンドの終端部分を引っ張ると第1可撓性バンドが伸長しながら第1可撓性バンドの係止部材中の一つが第1バンド圧着片に係止して第1スライダを第2位置に移動させ、引っ張られた第1可撓性バンドを放すと第1可撓性バンドが収縮しながら第1可撓性バンドの係止部材中の一つが第1バンド圧着片に係止して第1スライダを第1位置に移動させる。
第2可撓性バンドの終端部分を引っ張ると第2可撓性バンドが伸長しながら第2可撓性バンドの係止部材中の一つが第2バンド圧着片に係止して第2スライダを第2位置に移動させ、引っ張られた第2可撓性バンドを放すと第2可撓性バンドが収縮しながら第2可撓性バンドの係止部材中の一つが第2バンド圧着片に係止して第2スライダを第1位置に移動させる。
第1及び第2バックル本体は、互いに平行な第1辺及び第2 辺と互いに平行な第3辺及び第4辺を備える直四角形フレームを含む。第1及び第2スライダのそれぞれの第1位置を設定するように直四角形フレームの第1辺に第1止め部が形成され、第1及び第2スライダのそれぞれの第2位置を設定するように直四角形フレームの第2 辺に第2止め部が形成される。第1及び第2スライダは、第1及び第2バックル本体と第3辺及び第4辺上で摺動自在に結合してそれぞれの第1位置で第1及び第2バックル本体の第1止め部に係止し、それぞれの第2位置で第1及び第2バックル本体の第2止め部に係止する一対の第1及び第2係止部を各々備える。第1及び第2スライダは第1及び第2バックル本体のそれぞれの第1辺に形成された第1及び第2結合部材と、第1及び第2バックル本体の第1及び第2結合部材を収容する連結具とをさらに含むことを特徴とする。
【００１４】
【発明を実施するための最良の形態】
添付された図面を参照しながら本発明のいくつかの実施例を説明する。バックル組立体は特に水中眼鏡に使用される各実施例を参照して説明する。しかし、本発明のバックル組立体は反復的に引っ張られるか緩くなることにより長さが調節される如何なる形態のバンドとも組合せて使用されることができる。
【００１５】
(第1実施例)
図3及び図4は本発明の第1実施例によるバックル組立体(130)を備えた水中眼鏡(100)の一部斜視図及び分解図である。
【００１６】
関連した例示的な水中眼鏡の半分だけ示されているが、水中眼鏡(100)はレンズ部(111)が内部に形成されたレンズフレーム(110)と、多数の幅方向係止部材(121)、例えば、多数の幅方向リッジが備えられた可撓性バンド(120)と、レンズフレーム(110)と可撓性バンド(120)を結合するバックル組立体(130)とで構成されている。レンズフレーム(110)の後方には保護パッド(112)が設置される。通常の知識を有する当業者であれば、残りの半分に同一構造が形成され完全な水中眼鏡を構成するということが分かる。図4は図3に示された装置の構成部品を示す分解斜視図である。レンズフレーム(110)はその側方向の端部に一体型バックル本体(140)を有する。従って、図3に示されたバックル組立体(130)は図4に示した通りバックル本体(140)及びスライダ(150)を含む。
【００１７】
図5に示された第1実施例によれば、バックル本体(140)は互いに平行な第1辺(141)及び第2辺(142)と互いに平行な第3辺(143)及び第4辺(144)を備える直四角形フレーム(145)を含む。直四角形フレーム(145)の第1辺(141)には第1止め部(146)が形成される。第1止め部(146)は第1辺(141)に同軸に延長された突起形態である。直四角形フレーム(145)の第2辺(142)には第2止め部(147)が形成されている。直四角形フレーム(145)の第2辺(142)はバンド支持部(148)及び第2止め部(147)が形成される。第2止め部(147)は第2辺(142)の両端に位置し、第2辺(142)に垂直に延長され、バンド支持部(148)により連結されている。
【００１８】
バンド支持部(148)は可撓性バンドが巻かれ得るようになっている。第1止め部(146)は第1辺(141)に対して垂直に延長された形態で実施されることもでき、バンド支持部(148)は第2止め部(147)が第2辺(142)に垂直でない状態として第2辺(142)の面に形成されることもできるということが当業者であれば十分に分かる。
【００１９】
図6はスライダ本体(151)の底面から垂直に延長する一対の係止部(152)及びバンド圧着片(153)を有するスライダ(150)を示している。係止部(152)は直四角形フレーム(145)の第3辺(143)及び第4辺(144)に結合するようにスライダ本体(151)の底面から垂直に延長された後、内側に屈曲されている。この係止部(152)によりスライダ(150)は第3辺(143)及び第4辺(144)に隣接するバックル本体(140)に摺動自在に結合する。バンド圧着片(153)は可撓性バンド(120)をバンド支持部(148)に対して圧着固定させるようになっている。
【００２０】
図7a及び図7bは第1実施例の水中眼鏡の一部を示した側面図である。図7aは可撓性バンド長さが調節された後のバックル組立体の固定状態を示し、図7bは可撓性バンド(120)の長さの調節を許容する解除状態を示す。
【００２１】
まず、可撓性バンドを頭の周りの長さより若干緩くして着用した後、使用者が可撓性バンド(120)の長さを調節しようとする場合を説明する。若干緩く着用した状態で、可撓な可撓性バンド長さは使用者の頭の円周の長さより大きい。使用者が図7aの状態で可撓性バンドの終端部分を片手で引っ張ると、矢印B方向に可撓性バンドが伸長するとき、可撓性バンド(120)のリッジ(121)の一つがバンド圧着片(153)に接触する(図7b参照)。これにより、スライダ(150)は図7BのB方向に移動する。スライダ(150)がB方向に移動すると可撓性バンド(120)のリッジ(121)によりバイアス(bias)されているバンド圧着片(148)も伴って可撓性バンドの固定を解除するので可撓性バンド長さの調節が可能となる。
【００２２】
使用者が可撓性バンド長さを調節した後、B方向へ引っ張られた可撓性バンドを放すと、
図7aに示された通り可撓性バンドが矢印A方向に収縮しながら可撓性バンドのリッジ(121)中の一つがバンド圧着片(148)に係止してスライダ(150)をA方向に移動させる。スライダ(150)がA方向に移動すればバンド圧着片(153)も伴って可撓性バンドを固定するので可撓性バンドがバイアス(bias)された調節された状態で維持される。
【００２３】
図8a及び図8bはバンドが巻かれていない状態のバックル組立体のバックル本体に対するスライダの相対的な移動を示した底面図である。図8aは可撓性バンド(120)が停止状態及び図7aに示されたA方向にバイアスされる場合のようにスライダ(150)の係止部(152)が第1止め部(146)と同一な高さにあり、第2止め部(147)がバンド支持部(153)上に停止するようになるとき、バックル本体(140)の第1止め部(146)がスライダ(150)の移動を停止させていることを示している。可撓性バンド(120)は図7aに示された通り、B方向に移動するとき、スライダ(150)の係止部(152)は可撓性バンドに接触しているようになる。図8bは可撓性バンド(120)がない場合、スライダ(150)の係止部(152)がバックル本体(140)の直四角形フレーム(145)の第2辺(142)に接触するようになるとき、スライダ(150)の移動が停止することを示している。従って、可撓性バンド(120)を引っ張り、または引っ張られた可撓性バンド(120)を放してスライダ(150)がバックル本体(140)から離脱することはなくなる。
【００２４】
図9乃至図14bは図3のバックル組立体の変形例である。図9のバックル組立体は図3のバックル組立体に比べてスライダの係止部とバックル本体の第1止め部の形状が相違する。図6のスライダ(150)では、係止部(152)がスライダ本体(151)の両側縁部から垂直に延長された後、終端部分が内側にＬ字形状に屈曲された反面、図12のスライダ(150)は、係止部(152’)は外側に屈曲され、図6に示されたスライダの係止部(152)に反対する構成からなった末端部を有する。
【００２５】
また、図12のスライダにおける係止部(152’)は示されたスライダ本体(151)の対向する縁部から内側に一厚さだけ離隔された位置から垂直に延長されている。図3のバックル組立体では第1辺(141)に第1止め部(146)を別途に構成しなければならなかったが、図9のバックル組立体ではスライダ(150)の係止部(152’)が内部で外側に屈曲されており、バックル本体(140)の直四角形フレーム(145)の内部と結合するので第1辺(141)の内側面が第1止め部の機能をする。
【００２６】
(第2実施例)
図15及び図16は本発明の第2実施例によるバックル組立体を備えた水中眼鏡の一部斜視図及び分解図である。
【００２７】
第1実施例はバックル本体がレンズフレームに一体に形成された反面、第2実施例はバックル本体がレンズフレームと別個に形成された構成である。このような点を除外した第2実施例の構成及び作動は第1実施例と同一である。
【００２８】
図15及び図16を参照すれば、バックル本体(140)の直四角形フレーム(145)の第1辺(141)にはレンズフレーム結合用結合部材(170)が形成されている。このようなレンズフレーム結合用結合部材(170)としては図16に示されたようなフック手段などがある。また、レンズフレーム(110)の外側面上にはバックル本体(140)の結合部材(170)を収容するように孔(113)が形成されている。レンズフレーム上に形成された孔(113)の幅は結合部材(170)の厚さより若干大きく形成される。水中眼鏡の着用時には、可撓性バンド(120)が結合部材(170)を孔(113)に対して離脱しないように引っ張るようになる。
【００２９】
図17及び図18は図15のバックル組立体の変形例である。図17のバックル組立体は図15のバックル組立体に比べてスライダの係止部とバックル本体の第1止め部の形状が相違する。
スライダの係止部及びバックル本体は図9と同一構成である。
【００３０】
(第3実施例)
図19及び図20は本発明の第3実施例によるバックル組立体の可撓性バンドが結合された斜視図及び分解図である。
【００３１】
図19に示された通り、バックル組立体(330)は別個に形成されたバックル本体(340)と、第1スライダ(350)及び第2スライダ(360)で構成される。図20はバックル本体(340)が互いに平行な第1辺(341)及び第2辺(342)と互いに平行な第3辺(343)及び第4辺(344)を備える直四角形フレーム(345)を含んでいることを示している。直四角形フレーム(345)の第3辺(343)と第4辺(344)の中心には第1止め部(346)が形成され、直四角形フレーム(345)の第1辺(341)及び第2辺(342)には2止め部(347)が各々形成されている。また、第1辺(341)には多数の幅方向係止部材(321)、例えば、多数の幅方向リッジを備えた第1可撓性バンド(320)が巻かれる第1バンド支持部(348)が形成され、第2辺(242)には多数の幅方向リッジ(326)を備えた第2可撓性バンド(325)が巻かれる第2バンド支持部(349)が形成される。
【００３２】
第1止め部(346)は直四角形フレーム(345)の第3辺(343)と第4辺(344)の中心から垂直に延長された部分である。第2止め部(347)と第1及び第2バンド支持部(348、349)は図5に示された第1実施例と同一構成である。
【００３３】
第1スライダ(350)と第2スライダ(360)は図6に示された第1実施例のスライダ(150)と同一構成である。図20は第1スライダ(350)が第1係止部(352)及び第1バンド圧着片(353)を含み、第2スライダ(360)が第2係止部(362)及び第2バンド圧着片(363)を含むことを示している。従って、バックル本体(340)とスライダ(350)の結合方式及び可撓性バンドとの相互作動関係も前述した第1実施例とほぼ同一である。ただし、別個のバックル組立体の両側の第1及び第2バンド支持部(348、349)で２つの可撓性バンド(320、325)が各々巻かれ、バックル組立体が着用者の頭の後側に位置するという点が相違する。
【００３４】
使用者が可撓性バンド(320、325)の長さを調節しようとする時には、頭の後側に位置するバックル組立体(330)に巻かれた第1及び第2可撓性バンド(320、325)のそれぞれの終端部分を各々片手で引っ張った後、引っ張られ可撓性バンドを放すことで調節する。可撓性バンドを引っ張り、または引っ張られ可撓性バンド(320、325)を放すことでスライダがバックル本体に対して移動する方式及びスライダのバックル本体に対する位置関係は第1実施例と同一であるので説明を省略することにする。
【００３５】
図21は図19のバックル組立体の変形例である。図21のバックル組立体は図19のバックル組立体に比べてスライダの係止部とバックル本体の第1止め部の形状が相違する。図22に示された変形例のスライダの係止部とバックル本体の第1止め部は図9と同一構成である。
【００３６】
(第4実施例)
図23及び図24は本発明の第4実施例によるバックル組立体の可撓性バンドが結合された斜視図及び分解図である。
【００３７】
第4実施例のバックル組立体は第2実施例のバックル組立体２つを連結具を用いて連結したものである。バックル組立体(430)は第1及び第2バックル本体(440、440’)と、第1及び第2スライダ(450、460)と、連結具(480)とで構成される。
【００３８】
第1及び第2バックル本体(440、440’)は第1辺(441、441’)、第2辺(442、442’)、第3辺(443、443’)及び第4辺(444、444’)からなる直四角形フレーム(445、445’)と、第1及び第2バンド支持部(448、448’)とを含む。第1及び第2スライダ(450、460)は第1係止部(452)及び第2係止部(462)と第1及び第2バンド圧着片(453、463)を各々備える。第1及び第2バンド支持部(448、448’)には多数の幅方向係止部材、例えば多数の幅方向リッジ(421、426)を備えた第1及び第2可撓性バンド(420、425)が巻かれる。
【００３９】
２つのバックル本体(440、440’)は第1及び第2バックル本体に各々形成された第1及び第2結合部材(470、470’)を連結具(480)に挿入することによって結合される。第1及び第2結合部材(470、470’)としてはフック手段などがある。連結具(480)の形状は図面で直四角形に示したが、他の形状も可能である。
【００４０】
可撓性バンド長さを調節するために、可撓性バンドを引っ張り、または引っ張られた可撓性バンドを放すことでスライダがバックル本体に対して移動する方式及びスライダのバックル本体に対する位置関係は前述した各実施例と同一であるので説明を省略することにする。
【００４１】
図25及び図26は図19及び図20に示したように本発明の第3実施例にスロット及びプッシャーを更に設置したバックル組立体の可撓性バンドが結合された斜視図及び分解図である。
【００４２】
図26を参照すると、スロット(370)は第3辺(343)と第4辺(344)の中心を連結した連結部に形成されており、連結部の厚さ方向からプッシャー(380)が挿入する方に幅が大きくなるように傾斜している。図26はまたスロット(370)のスロット形状に対応する形状となっており、スロット(370)に挿入され、スロット(370)を通じて移動自在なプッシャー(380)を示している。プッシャー(380)はスロット(370)に挿入する端部側にフック形状の係止突起(381)を有し、挿入する端部に対向する他端側に他端にいくほど断面積が拡大する拡大部(382)を有する。従って、プッシャー(380)をスロット(370)側に押し下げるとプッシャー(380)がスロット(370)内に入りながら拡大部(382)が第1及び第2スライダ(350、360)を各々第2位置に押すように構成されているので、プッシャー(380)がスロット(370)に隣接しているとき、使用者は可撓性バンドを要求に応じて容易に解くことができる。
【００４３】
上述した実施例は可撓性バンドに沿って長手方向に配置され摺動可能であり、スライダに対する移動及び係止部材として、望ましくは示されたように多数の幅方向リッジを含む多数の係止部材を有する可撓性バンドに対して記述した。変形例として、可撓性バンドの幅方向に長く形成された多数の貫通孔、幅方向に長く形成された四角形の陥没部などが可撓性バンドに形成できる。すると、可撓性バンドが引っ張られたり収縮するとき、バンド圧着片が貫通孔又は陥没部の内部に挿入されることによりスライダが第１位置又は第２位置に移動でき、バックル組立体上に可撓性バンドを調節された状態で維持することもできる。この場合、可撓性バンドには幅方向リッジがないので、敏感な使用者のために使用者の頭に加えられる幅方向リッジによる圧力をなくすことができる。
【００４４】
多数の本発明の例示的形態を添付された図面に示し、上述のように記述したが、他の変形例が可能であるということが当業者ならば十分に分かる。
【００４５】
上述した通り、本発明による可撓性バンド調節用バックル組立体によれば使用者は水中眼鏡を着用した状態で片手でバンド長さを容易、かつ速やかに調節することができる。
【図面の簡単な説明】
【図１】従来のバンド長さ調節片を備えた従来技術の水中眼鏡の斜視図。
【図２】バンドがバンド長さ調節片から分離された図1の従来技術の水中眼鏡の斜視図。
【図３】本発明の第1実施例によるバックル組立体を備えた水中眼鏡の一部斜視図。
【図４】図3に示された水中眼鏡の各構成要素の分解斜視図。
【図５】図3のバックル組立体のバックル本体の詳細斜視図。
【図６】図3のバックル組立体のスライダを下から示した詳細斜視図。
【図７】(a)及び(b)は図3のバックル組立体の作動を示すために水中眼鏡の一部を示した側面図であって、(a)は可撓性バンド長さが調節された後のバックル組立体の固定状態を示し、(b)はバンド長さの調節を許容する解除状態を示す。
【図８】(a)及び(b)は図3のバックル組立体のバックル本体に対するスライダの相対的な移動を示した底面図であって、(a)はスライダの第1位置を示し、(b)はスライダの第2位置を示す。
【図９】本発明の第1実施例のバックル組立体の変形例を示した図面。
【図１０】図9に示された水中眼鏡の多様な構成要素の分解斜視図。
【図１１】図9のバックル組立体のバックル本体の詳細斜視図。
【図１２】図9に示されたバックル組立体のスライダの基部の詳細斜視図。
【図１３】(a)及び(b)は図9のバックル組立体の作動を示すために水中眼鏡の一部を示した側面図であって、(a)は可撓性バンド長さが調節された後のバックル組立体の固定状態を示し、(b)はバンド長さの調節を許容する解除状態を示す。
【図１４】(a)及び(b)は図9のバックル組立体のバックル本体に対するスライダの相対的な移動を示した底面図であって、(a)はスライダの第1位置を示し、(b)はスライダの第2位置を示す。
【図１５】本発明の第2実施例によるバックル組立体を備えた水中眼鏡の一部斜視図。
【図１６】図15に示された水中眼鏡の多様な構成要素の分解斜視図。
【図１７】図15のバックル組立体の構成を一部変更して示した斜視図。
【図１８】図17に示された水中眼鏡の多様な構成要素の分解斜視図。
【図１９】本発明の第3実施例によるバックル組立体の可撓性バンドが結合された斜視図。
【図２０】図19に示されたバックル組立体の各構成要素の分解斜視図。
【図２１】図19のバックル組立体の構成を一部変更して示した斜視図。
【図２２】図21のバックル組立体の多様な構成要素の分解斜視図。
【図２３】本発明の第4実施例によるバックル組立体の可撓性バンドが結合された斜視図。
【図２４】図23のバックル組立体の多様な構成要素の分解斜視図。
【図２５】本発明の第3実施例にスロット及びプッシャーをさらに設置したバックル組立体の可撓性バンドが結合された斜視図。
【図２６】図25のバックル組立体の多様な構成要素の分解斜視図。
【符号の説明】
100:水中眼鏡
110:レンズフレーム
111:レンズ部
112:シリコンパッキング
113:孔
120、320、325、420、425:可撓性バンド
121、321、326、421、426:係止部材
130、330、430:バックル組立体
140、340、440、440’:バックル本体
141、341、441、441’:第1辺
142、342、442、442’:第2辺
143、343、443、443’:第3 辺
144、344、444、444’:第4辺
145、345、445、445’:直四角形フレーム
146、346、446、446’:第1止め部
147、347、447、447’:第2止め部
148、348、349、448、448’:バンド支持部
150、350、360、450、460:スライダ
151、351、361、451、461:スライダ本体
152、352、362、452、462:係止部
153、353、363、453、463:バンド圧着片
170、470、470’:結合部材
480:連結具
【図１】
0003864091.tif 000002
【図２】
0003864091.tif 000003
【図３】
0003864091.tif 000004
【図４】
0003864091.tif 000005
【図５】
0003864091.tif 000006
【図６】
0003864091.tif 000007
【図７Ａ】
0003864091.tif 000008
【図７Ｂ】
0003864091.tif 000009
【図８Ａ】
0003864091.tif 000010
【図８Ｂ】
0003864091.tif 000011
【図９】
0003864091.tif 000012
【図１０】
0003864091.tif 000013
【図１１】
0003864091.tif 000014
【図１２】
0003864091.tif 000015
【図１３Ａ】
0003864091.tif 000016
【図１３Ｂ】
0003864091.tif 000017
【図１４Ａ】
0003864091.tif 000018
【図１４Ｂ】
0003864091.tif 000019
【図１５】
0003864091.tif 000020
【図１６】
0003864091.tif 000021
【図１７】
0003864091.tif 000022
【図１８】
0003864091.tif 000023
【図１９】
0003864091.tif 000024
【図２０】
0003864091.tif 000025
【図２１】
0003864091.tif 000026
【図２２】
0003864091.tif 000027
【図２３】
0003864091.tif 000028
【図２４】
0003864091.tif 000029
【図２５】
0003864091.tif 000030
【図２６】
0003864091.tif 000031